(57)【要約】【課題】防犯性に優れ、かつ、枠体への着脱が容易な建具を提供する。【解決手段】室内外を連通する開口に設けられる枠体と、前記枠体内に固定され前記開口の一部を閉塞する固定障子と、前記開口にて前記固定障子にて閉塞されていない領域を閉塞可能であり、前記固定障子の室内側にて前記枠体に沿って移動可能な移動障子と、前記固定障子の見付け方向への移動を規制するための移動規制部材と、を有し、前記固定障子が有する框の外周部には外側に向かって開放された框側溝部を有し、前記枠体の内周部には内側に向かって開放された枠側溝部を有し、前記移動規制部材は、前記框側溝部と前記枠側溝部とに嵌合されるとともに、前記固定障子を構成する召し合わせ框の側面に当接され、室内側から螺合されるビスが前記枠体と前記框と前記移動規制部材とを見込み方向に貫通している。【選択図】図１４
2010053656.tif 000002
【特許請求の範囲】
【請求項１】
室内外を連通する開口に設けられる枠体と、
前記枠体内に固定され前記開口の一部を閉塞する固定障子と、
前記開口にて前記固定障子にて閉塞されていない領域を閉塞可能であり、前記固定障子の室内側にて前記枠体に沿って移動可能な移動障子と、
前記固定障子の見付け方向への移動を規制するための移動規制部材と、を有し、
前記固定障子が有する框の外周部には外側に向かって開放された框側溝部を有し、
前記枠体の内周部には内側に向かって開放された枠側溝部を有し、
前記移動規制部材は、前記框側溝部と前記枠側溝部とに嵌合されるとともに、前記固定障子を構成する召し合わせ框の側面に当接され、
室内側から螺合されるビスが前記枠体と前記框と前記移動規制部材とを見込み方向に貫通していることを特徴とする建具。
【請求項２】
請求項１に記載の建具であって、
前記ビスは、前記固定障子と前記移動障子との召し合わせ部分に配置されていることを特徴とする建具。
【請求項３】
請求項１に記載の建具であって、
前記移動障子は、当該移動障子が移動した際に、室内側から螺合された前記ビスと見込み方向に重なる領域にて移動可能であることを特徴とする建具。
【発明の詳細な説明】
【技術分野】
【０００１】
本発明は、室内外を連通する開口に設けられる枠体に固定され開口の一部を閉塞する固定障子を有する建具に関する。
【背景技術】
【０００２】
従来、室内外を連通する開口に設けられる枠体に固定され開口の一部を閉塞する固定障子を有する建具としては、外障子をサッシ枠に固定して内障子を面内方向に走行自在に建て込んだ片引きサッシが知られている（例えば、特許文献１参照）。このような建具は、方形枠状に枠組みしたサッシ枠内に内障子が走行自在に装着され、外障子の上框が外上レールに取り付けられた樹脂製の取付アタッチメントにビスで固定されて取り付けられている。取付アタッチメントは、上枠の外上レールを挟むように一側片と他側片とが下端側で連結されており、一側片側から他側片側に向かって係合突片が設けられている。外上レールには、係合孔が形成されており、一側片と他側片との間に外上レールを差し込むとともに係合突片を係合孔に係合させて取付アタッチメントがサッシ枠に取り付けられる。サッシ枠に取り付けられた取付アタッチメントには、上向きコ字状をなす上框を下から上に向けて嵌合し、下方から上框の底面を貫通したビスを取付アタッチメントに螺合して連結されている。
【特許文献１】登録実用新案第２５５４７９６号公報
【発明の開示】
【発明が解決しようとする課題】
【０００３】
固定障子を有する窓は、固定障子の面材例えばガラスが破損した場合やシールが損傷した場合には、メンテナンスのために固定障子を取り外すことがあるが、上記の建具のように框の内部にてネジ止めされていると取り外し作業が繁雑である。また、固定障子は外障子がサッシ枠に固定されているが、室外側から外障子を固定した場合には、室外側から容易に取り外されてしまうため防犯性に欠けるという課題がある。
【０００４】
本発明は、かかる課題に鑑みてなされたものであり、その目的とするところは、防犯性に優れ、かつ、枠体への着脱が容易な建具を提供することにある。
【課題を解決するための手段】
【０００５】
かかる目的を達成するために本発明の建具は、室内外を連通する開口に設けられる枠体と、前記枠体内に固定され前記開口の一部を閉塞する固定障子と、前記開口にて前記固定障子にて閉塞されていない領域を閉塞可能であり、前記固定障子の室内側にて前記枠体に沿って移動可能な移動障子と、前記固定障子の見付け方向への移動を規制するための移動規制部材と、を有し、前記固定障子が有する框の外周部には外側に向かって開放された框側溝部を有し、前記枠体の内周部には内側に向かって開放された枠側溝部を有し、前記移動規制部材は、前記框側溝部と前記枠側溝部とに嵌合されるとともに、前記固定障子を構成する召し合わせ框の側面に当接され、室内側から螺合されるビスが前記枠体と前記框と前記移動規制部材とを見込み方向に貫通していることを特徴とする建具である。
【０００６】
移動障子より室外側に配置されている固定障子の召し合わせ框の側面に当接され、框側溝部と枠側溝部とに嵌合される規制部材であれば、室外側から容易に外すことが可能であり、また、移動規制部材が外されれば、固定障子も容易に取り外されてしまう虞がある。しかしながら、上記建具の移動規制部材は、室内側から螺合されるビスが前記枠体と前記框と前記移動規制部材とを見込み方向に貫通しているので、室外側から移動規制部材を取り外すことはできない。このため、防犯性に優れた建具を提供することが可能である。また、移動規制部材の移動を規制するビスは室内側から螺合されているので、室内側から容易に着脱することが可能である。このため、防犯性に優れ、かつ、枠体への着脱が容易な建具を提供することが可能である。
【０００７】
かかる建具であって、前記ビスは、前記固定障子と前記移動障子との召し合わせ部分に配置されていることが望ましい。  
移動規制部材の見付け方向の移動を規制するビスは室内側から螺合されているので、ビスが室内側に露出した場合には、美観を損なう虞がある。しかしながら、上記建具は、固定障子と移動障子との召し合わせ部分にビスが配置されているので、固定障子の室内側に位置する移動障子によりビスが隠されるため、美観に優れた建具を提供することが可能である。
【０００８】
かかる建具であって、前記移動障子は、当該移動障子が移動した際に、室内側から螺合された前記ビスと見込み方向に重なる領域にて移動可能であることが望ましい。  
このような建具によれば、移動障子は移動規制部材の見付け方向の移動を規制するビスと見込み方向に重なる領域にて移動するので、たとえ移動障子が開閉されたとしても、ビスは移動障子の室外側に位置することになる。このため、移動障子が移動したとしても美観を損なわず、良好な美観を維持することが可能な建具を提供することが可能である。
【発明の効果】
【０００９】
本発明によれば、防犯性に優れ、かつ、枠体への着脱が容易な建具を提供することが可能である。
【発明を実施するための最良の形態】
【００１０】
以下、本発明の一実施形態に係る建具について図面を参照して説明する。  
本実施形態の建具１は、図１に示すような、室内外を連通する建物の開口に設けられる枠体と、枠体内に固定され開口の一部を閉塞し、面材としてのガラス３が嵌め付けられて移動しない固定障子２０と、固定障子２０にて閉塞されない領域を閉塞可能であり、枠体１１に沿って移動可能な移動障子５とを備えた建具１を例に挙げて説明する。
【００１１】
この建具１は、図２、図３に示すように、枠体１１の見込み方向におけるほぼ中央より室外側の領域に固定障子２０が設けられ、ほぼ中央より室内側の領域は移動障子５が移動可能な領域となっている。以下の説明においては、建具１を室外側から見たときに上下となる方向を上下方向、左右となる方向を左右方向または見付け方向、室内外方向である奥行き方向を見込み方向として示す。また、本発明の特徴的な部分は、本実施形態においては固定障子２０に含まれるため、以下では、主に固定障子２０について説明する。
【００１２】
枠体１１は、室内外を仕切る壁の開口に設けられ、押し出し成形部材である上枠１２、下枠１３、左右の縦枠１４、１５が矩形状に枠組みされて構成されている。上枠１２、下枠１３、左右の縦枠１４、１５は、いずれも同一の断面形状をなす押し出し成形部材であり、４５度に切断された両端部が互いに突き合わされて接合されている。
【００１３】
上枠１２、下枠１３、左右の縦枠１４、１５は、いずれも見込み方向における室内側に移動障子５の周縁部が収容される収容凹部１６と、室外側に固定障子２０が装着される装着部１７が設けられている。そして、上枠１２、下枠１３、左右の縦枠１４、１５は、同一断面形状をなしているので、収容凹部１６及び装着部１７は枠体１１の全周に渡って形成されている。本実施形態の建具１は、室外側から見て開口の右側が固定障子２０にて閉塞され、左側が移動障子５にて開閉可能に構成されているため、移動障子５は、右の縦枠１５側には移動しない。このため移動障子５の外周部が右の縦枠１５の収容凹部１６に収容されることはない。
【００１４】
下枠１３の収容凹部１６には、移動障子５を案内するためのレール部材１０が見付け方向の全域にわたって嵌合されている。  
収容凹部１６の屋外側の壁部１６ａをなすとともに収容凹部１６と装着部１７との境界となる境界壁１８の屋外側に臨む面は、固定障子２０を構成する框が対向して配置される框対向部１７ａをなしている。  
装着部１７は、框対向部１７ａと、この框対向部１７ａと繋がってほぼ直角をなす水平面を有する内周部としての内周面部１７ｂとを有している。内周面部１７ｂには、見込み方向におけるほぼ中央に見付け方向に沿って枠側溝部１９が形成されている。
【００１５】
枠側溝部１９は、枠体１１が囲む空間の内側に向かって開放された溝部であり、枠側溝部１９の開放された端部には、見込み方向の幅が枠側溝部１９の内部１９ａより狭くなるような突片１９ｂが設けられている。すなわち、装着部１７の内周面部１７ｂ側の縁に見込み方向に突出する突片１９ｂが設けられている。
【００１６】
この突片１９ｂは、見付け方向のほぼ全域に渡って設けられているが、図４に示すように、固定障子２０が取り付けられる領域の一部には突片１９ｂが切り欠かれた切欠部１９ｃが形成されており、この切欠部１９ｃから後述する連結嵌合部材としての棒状嵌合部材３０及び移動規制部材５５が挿入される。このため、切欠部１９ｃは、後述する棒状嵌合部材３０及び移動規制部材５５の長さより長く、また、幅も広く形成されている。また、枠側溝部１９の底１９ｅには、後述する棒状嵌合部材３０の突起３１ｂが挿入されて位置決めされる位置決め孔１９ｄが形成されている。なお、上記実施形態においては、切欠部１９ｃを棒状嵌合部材３０及び規制部材５５の幅よりも広く形成させる構成としたが、切欠部１９ｃに棒状嵌合部材３０及び規制部材５５を回転させながら挿入する場合には、必ずしも幅が広くなくとも良い。
【００１７】
下枠１３の枠側溝部１９の、固定障子２０が取り付けられた際に当該固定障子２０にて覆われない部位及び左側の縦枠（以下、左縦枠という）１４の枠側溝部１９には、枠側溝部１９を塞ぐ閉塞部材２８が設けられている。また、閉塞部材２８は、上枠１２の枠側溝部１９の、固定障子２０が取り付けられた際に当該固定障子２０にて覆われない部位に設けても良い。
【００１８】
また、装着部１７の室外側に上枠１２と下枠１３とに網戸６２が移動されるレール６１が設けられており、同一断面形状をなす左右の縦枠１４、１５にも繋がっている。
【００１９】
固定障子２０は、面材としてのガラス３と、矩形状に枠組みされた框体２０ａと、框体２０ａとともにガラス３を挟持する押縁２０ｂとを有している。ガラス３は、２枚のガラス板の周縁間にスペーサや封着剤を介在させて、互いに間隔を隔てて対面させた２層構造をなしている。
【００２０】
框体２０ａは、押し出し成形部材でなる上框２１、下框２２、左右の縦框２３、２４が、４５度に切断された各々の両端部が互いに突き合わされて接合されている。枠組みされた框体２０ａの外周部としての外周面２０ｃには、固定障子２０を枠体１１に取り付けた際に枠側溝部１９と対向する位置に、框体２０ａの外側向かって開放された框側溝部２５が設けられている。
【００２１】
この框側溝部２５の開放された端部には、見込み方向の幅が框側溝部２５の内部２５ａより狭くなるような突片２５ｂが設けられている。すなわち、框体２０ａの外周面２０ｃ側の縁に見込み方向に突出する突片２５ｂが設けられている。
【００２２】
このような固定障子２０は、ほぼ直方体状をなす成形部材である棒状嵌合部材３０、及び、角部を連結するための鉤状嵌合部材５０を用いて枠体１１に取り付けられる。また、框側溝部２５と枠側溝部１９とに嵌合されるとともに、固定障子２０を構成する召し合わせ框（左の縦框）２３の側面２３ａに当接される移動規制部材５５により固定障子２０の見付け方向の移動が規制されている。
【００２３】
棒状嵌合部材３０は、長手方向が枠側溝部１９及び框側溝部２５に沿うように配置されて嵌合される。棒状嵌合部材３０は、図５〜図７に示すように、枠側溝部１９に収容される枠側被収容部３１と框側溝部２５に収容される框側被収容部３３とそれらを連結する連結部３５とで構成されている。そして、図２、図３に示すように、棒状嵌合部材３０は、上枠１２と上框２１との間、下枠１３と下框２２との間、右の縦枠（以下、右縦枠という）１５と右の縦框２４との間に、それぞれ介在され、上枠１２、下枠１３、右縦枠１５の枠側溝部１９と上框２１、下框２２、縦框２４の框側溝部２５とにそれぞれ嵌合されて枠体１１と框体２０ａとを連結し、固定障子２０の見込み方向への移動を規制する。
【００２４】
以下の説明では、棒状嵌合部材３０が、枠側溝部１９と框側溝部２５とに嵌合された状態にて、室内に向かう方向を室内方向、室外に向かう方向を室外方向、枠側溝部１９の底１９ｅに向かう方向を枠体方向、框側溝部２５の底に向かう方向を框体方向、見付け方向、見込み方向として方向を示す。
【００２５】
棒状嵌合部材３０の長手方向における両端部３０ａは、各々先端に向かって細くなるようにテーパー状に形成されている。
【００２６】
枠側被収容部３１は、枠側溝部１９に収容された際に、枠側溝部１９側が連結部３５より見込み方向に突出する突出部３１ｃを有しており、枠側溝部１９の深さ方向におけるほぼ半分の位置から底１９ｅ側に向かって見込み方向の幅が狭くなるようなテーパー状に形成されている。また、枠側被収容部３１には、枠側溝部１９の底１９ｅと対向する面３１ａの中央に、棒状嵌合部材３０を位置決めするための突起３１ｂが設けられている。
【００２７】
框側被収容部３３は、長手方向にてテーパー状に形成された両端部３０ａを除く部位が、室内側と室外側とにそれぞれ４つの領域、すなわち合計８つの領域に区分けされ、各領域には框体方向に開放された中空部３３ａが形成されている。
【００２８】
各中空部３３ａが形成されている室外側の領域の室外側の壁部３３ｃと、室内側の領域の室内側の壁部３３ｃとには、それぞれ長手方向の両端部にスリット３３ｂが形成されている。各領域のスリット３３ｂ間の壁部３３ｃは、連結部３５より見込み方向に突出する突出部３３ｄを有しており、框体方向におけるほぼ半分の位置から底２５ｃ側に向かって見込み方向の幅が狭くなるようなテーパー状に形成されている。そして、前記スリット３３ｂは突出部３３ｄより枠側被収容部３１側まで形成されている。このため、各領域のスリット３３ｂ間の壁部３３ｃは、弾性により中空部３３ａの内方に向かって屈曲可能である。このとき、棒状嵌合部材３０に設けられた８つの中空部３３ａは、壁部３３ｃがより大きく屈曲するように、框側被収容部３３のみならず連結部３５や枠側被収容部３１まで繋がっていてもよい。
【００２９】
鉤状嵌合部材５０は、枠側溝部１９に嵌合される枠側被嵌合部５１と框側溝部２５に収容される框側被嵌合部５３とをそれぞれ備えた一対の嵌合部５２がほぼ直角をなすようにほぼ直角をなす連結部５４にて連結されて構成されている。一対の嵌合部５２は、いずれか一方が右縦枠１５の枠側溝部１９と右側の縦框２４の框側溝部２５とに嵌合される縦嵌合部５２ａであり、他方が上下の横枠１２、１３の枠側溝部１９と上下の横框２１、２２の框側溝部２５とに嵌合される横嵌合部５２ｂであり、縦嵌合部５２ａと横嵌合部５２ｂとが一体に形成されて鉤状嵌合部材５０が構成されている。なお、縦嵌合部５２ａと連結部５４を一体に形成し、横嵌合部５２ｂと連結部５４を一体に形成して、これらの連結部同士を連結して鉤状嵌合部材５０を構成しても良い。この縦嵌合部５２ａと横嵌合部５２ｂとは同じ構成なので、ここでは嵌合部５２として説明する。
【００３０】
嵌合部５２は、長手方向のほぼ中央にて２つの領域に区分けされ、先端に框側溝部２５に嵌合される框側被嵌合部５３が形成され、連結されている側に枠側溝部１９に嵌合される枠側被嵌合部５１が形成されている。ここで、右縦枠１５と右側の縦框２４とに嵌合される縦嵌合部５２ａであって、右縦枠１５の枠側溝部１９に嵌合される枠側被嵌合部５１が縦枠嵌合部の一例であり、右側の縦框２４の框側溝部２５に嵌合される框側被嵌合部５３が縦框嵌合部の一例である。また、上下の横枠１２、１３と上下の横框２１、２２とに嵌合される横嵌合部５２ｂであって、上枠１２及び下枠１３の枠側溝部１９に嵌合される枠側被嵌合部５１が横枠嵌合部の一例であり、上框２１及び下框２２の框側溝部２５に嵌合される框側被嵌合部５３が横框嵌合部の一例である。
【００３１】
框側被嵌合部５３は、室内側と室外側との２つの領域に区分けされており、各領域には框体方向に開放された中空部５３ａが形成されている。各中空部５３ａを形成している室内側及び室外側の部位には、それぞれ長手方向の両端部にスリット５３ｂが形成されている。各領域のスリット５３ｂ間の壁部５３ｃは、枠側溝部１９に収容される部位５３ｄより見込み方向に突出する突出部５３ｅを有しており、框側溝部２５の深さ方向におけるほぼ半分の位置から框側溝部２５の底２５ｃ側に向かって見込み方向の幅が狭くなるようなテーパー状に形成されている。前記スリット５３ｂは突出部５３ｅより枠体１１に収容される側の端近傍まで形成されている。このため、各領域のスリット５３ｂ間の壁部５３ｃは、弾性により中空部５３ａの内方に向かって屈曲可能である。また、框側被嵌合部５３は、長手方向における先端側のほぼ半分は、先端に向かって細くなるようにテーパー状に形成されている。
【００３２】
框側被嵌合部５３より連結部５４側に設けられている枠側被嵌合部５１も、室内側と室外側との２つの領域に区分けされており、各領域には枠体方向に開放された中空部５１ａが形成されている。各中空部５１ａを形成している室内側及び室外側の部位には、それぞれ長手方向の両端部にスリット５１ｂが形成されている。各領域のスリット５１ｂ間の壁部５１ｃは、框側溝部２５に収容される部位５１ｄより見込み方向に突出する突出部５１ｅを有しており、枠側溝部１９の深さ方向におけるほぼ半分の位置から枠側溝部１９の底１９ｅ側に向かって見込み方向の幅が狭くなるようなテーパー状に形成されている。そして、前記スリット５１ｂは突出部５１ｅより框体２０ａに収容される側の端近傍まで形成されている。このため、各領域のスリット５１ｂ間の壁部５１ｃは、弾性により中空部５１ａの内方に向かって屈曲可能である。
【００３３】
移動規制部材５５は、ブロック状をなす中実部材であり、棒状嵌合部材３０における長手方向のほぼ半分の長さを有している。  
移動規制部材５５は、框側溝部２５と枠側溝部１９とに嵌合される本体嵌合部５６と、本体嵌合部５６の長手方向における一方の端部の框側溝部２５側に突出されて召し合わせ框２３の側面２３ａに当接される規制部６０と、を有している。
【００３４】
本体嵌合部５６は、図１１、図１２に示すように、枠側溝部１９に収容される枠側被収容部５７と、框側溝部２５に収容される框側被収容部５８と、それらを連結する連結部５９と、で構成されている。
【００３５】
以下の説明では、移動規制部材５５が、枠側溝部１９と框側溝部２５とに嵌合された状態にて、室内に向かう方向を室内方向、室外に向かう方向を室外方向、枠側溝部１９の底１９ｅに向かう方向を枠体方向、框側溝部２５の底に向かう方向を框体方向、として方向を示す。
【００３６】
移動規制部材５５の長手方向、すなわち、見付け方向の一方の端部は、端に向かって細くなるようなテーパー状に形成され、他方の端部には框体方向に突出して召し合わせ框２３の側面２３ａに当接される規制部６０が設けられている。
【００３７】
本体嵌合部５６は、規制部６０が設けられている側の端部に、移動規制部材５５を枠体１１に、枠体１１の内周側から外周側に向かって斜めに進入するビス６５にて固定するための固定用貫通孔５６ａが形成されている。また、規制部６０が設けられていない側の端部、すなわちテーパー状に形成されている端部側には、室内側から室外側に向かい、かつ、枠体１１の内周側から外周側に向かって斜めに進入するビス６６が枠体１１及び框体２０ａに螺合し、移動規制部材５５を貫通して移動規制部材５５の見付け方向の移動を規制するための規制用貫通孔５６ｂが形成されている。
【００３８】
枠側被収容部５７は、枠側溝部１９に収容された際に、枠側溝部１９側が連結部５９より見込み方向に突出する突出部５７ａを有しており、枠側溝部１９の深さ方向におけるほぼ半分の位置から底１９ｅ側に向かって見込み方向の幅が狭くなるようなテーパー状に形成されている。
【００３９】
框側被収容部５８は、框側溝部２５に収容された際に、框側溝部２５側が連結部５９より見込み方向に突出する突出部５８ａを有している。框側被収容部５８の連結部５９と反対側の框側面５８ｂには、框側面５８ｂとほぼ垂直をなす当接面６０ｃを有する規制部６０が設けられている。
【００４０】
規制部６０は、框側被収容部５８の見込み方向の幅より僅かに狭く形成されている。また、規制部６０の当接面６０ｃには、中央より僅かに規制部６０の端側に位置させて、移動規制部材５５の長手方向に向かって突出し、召し合わせ框２３に形成された孔（不図示）に挿入されるピン６０ａが設けられている。また、規制部６０の当接面６０ｃと反対の面には、移動規制部材５５を固定するためのビス６５を隠すためのカバー部材７０が係止される係止部６０ｂが設けられている。
【００４１】
そして、移動規制部材５５は、本体嵌合部５６が召し合わせ框２３の左側の側面２３ａ、すなわち、外周側の側面側から、上枠１２と上框２１との間、下枠１３と下框２２との間に挿入され、枠側被収容部５７が枠側溝部１９に、框側被収容部５８が框側溝部２５に挿入されて嵌合された状態となる。このとき、移動規制部材５５は、規制部６０が召し合わせ框２３の側面２３ａに当接されるとともに、ピン６０ａが召し合わせ框２３の側面２３ａに設けられた孔に挿入される。当接面６０ｃが、召し合わせ框２３の側面２３ａに当接された状態で、規制用貫通孔５６ｂにビス６６が貫通され上枠１２または下枠１３に螺合されて移動規制部材５５の見付け方向の移動が固定され、固定障子２０の見付け方向の移動も規制される。
【００４２】
本実施形態の建具１は、以下のように取り付けられる。  
まず、枠体１１を躯体に取り付け、枠体１１の角部、すなわち、固定障子２０が取り付けられる側の縦枠（ここでは右縦枠）１５と上枠１２及び下枠１３の枠側溝部１９に、図１３（ａ）に示すように鉤状嵌合部材５０を嵌合する。このとき、鉤状嵌合部材５０は、上枠１２または下枠１３の枠側溝部１９に嵌合した後、上枠１２または下枠１３に沿ってスライドさせて右縦枠１５に嵌合しても、右縦枠１５に嵌合させた後、右縦枠１５に沿ってスライドさせて上枠１２または下枠１３に嵌合しても、いずれの手順であってもよく、また、右縦枠１５と上枠１２または下枠１３の枠側溝部１９に一挙に嵌合してもよい。
【００４３】
次に、右縦枠１５に棒状嵌合部材３０を右縦枠１５に設けられた切欠部１９ｃから枠側溝部１９に挿入し、右縦枠１５に沿ってスライドさせ位置決め孔１９ｄに挿入して配置する。
【００４４】
次に、移動規制部材５５を上枠１２または下枠１３の切欠部１９ｃから枠側溝部１９に挿入し、上枠１２または下枠１３に沿ってスライドさせて左縦枠１４側に仮配置し、棒状嵌合部材３０を上枠１２及び下枠１３に設けられた切欠部１９ｃから枠側溝部１９に挿入し、上枠１２及び下枠１３に沿ってスライドさせ位置決め孔１９ｄに挿入して配置する。
【００４５】
その後、図１３（ｂ）に示すように、固定障子２０を、枠体１１の内側であって既に上枠１２及び下枠１３に配置された棒状嵌合部材３０と、上枠１２及び下枠１３とに仮配置された移動規制部材５５との間から本来固定障子２０が配置されるべき位置に移動させることにより、固定障子２０の框側溝部２５に、上枠１２、下枠１３、右縦枠１５に配置された棒状嵌合部材３０及び枠体１１の角部に配置された鉤状嵌合部材５０を嵌合させる。この状態で、固定障子２０は枠体１１に保持される。
【００４６】
そして、図１３（ｃ）に示すように、予め仮配置しておいた移動規制部材５５を、上枠１２及び下枠１３に沿ってスライドさせ、移動規制部材５５が有する本体嵌合部５６を框側溝部２５に嵌合させるとともに、規制部６０を召し合わせ框２３の左側の側面２３ａに当接させピン６０ａを召し合わせ框の孔に挿入させる。その後、移動規制部材５５の固定用貫通孔５６ａにビス６５を斜めに貫通させ上枠１２及び下枠１３に螺合して移動規制部材５５を固定する。ビス６５にて移動規制部材５５を固定した後に、図１３（ｄ）に示すように、移動規制部材５５の左側の面を覆うようなカバー部材７０を、移動規制部材５５の係止部６０ｂに係合することにより、ビス６５及び固定用貫通孔５６ａを覆い隠す。
【００４７】
その後に、図１４、図１５に示すように室内側から枠体１１と框体２０ａとを移動規制部材５５と重なる位置で、斜めに進入させたビス６６にて螺合する。このビス６６は枠体１１側から挿入されて移動規制部材５５に至る位置より十分に長いため、框体２０ａを貫通して移動規制部材５５の規制用貫通孔５６ｂをも貫通して枠体１１に螺合される。これにより、移動規制部材５５を固定しているビス６５が外されたとしても、移動規制部材５５の見付け方向への移動は規制されている。最後に、固定障子２０より室内側の領域に移動障子５を配置する。
【００４８】
このように移動障子５が取り付けられ、移動障子５が閉められた状態では、移動規制部材５５の見付け方向の移動を規制しているビス６６は、固定障子２０と移動障子５の召し合わせ部分に位置するので、本建具１を室内側から見た際に、ビス６６は移動障子５の框により隠されて室内側に露出しないように構成されている。また、移動障子５は、図１５に示すように移動障子５を開けた際にも、移動障子５の戸先框５ａが、固定障子２０の召し合わせ框２３を越えて固定障子２０の戸先框２４側へ移動しないように構成されている。すなわち、移動障子５を最も開いた状態であっても、移動障子５の戸先框５ａが固定障子２０の召し合わせ框２３と見込み方向に重なった状態が維持されるように構成されている。
【００４９】
ところで、移動障子５より室外側に配置されている固定障子２０の召し合わせ框２３の側面２３ａに当接され、框側溝部２５と枠側溝部１９とに嵌合される移動規制部材であれば、たとえ固定用のビス６５が螺合されていたとしても室外側から容易に外すことが可能であり、また、移動規制部材が外されれば、固定障子２０も容易に取り外されてしまう虞がある。しかしながら、上記実施形態の建具１の移動規制部材５５は、室内側から螺合されるビス６６が枠体１１と框体２０ａと移動規制部材５５とを見込み方向に貫通し、枠体１１と框体２０ａとに螺合されているので、室外側から移動規制部材５５を取り外すことはできない。このため、防犯性に優れた建具１を提供することが可能である。また、移動規制部材５５の見付け方向の移動を規制するビス６６は室内側から進入させて螺合されているので、室内側から容易に着脱することが可能である。このため、防犯性に優れ、かつ、枠体１１への着脱が容易な固定障子２０を備えた建具１を提供することが可能である。
【００５０】
また、移動規制部材５５の見付け方向の移動を規制するビス６６は室内側から螺合されているので、ビス６６が室内側に露出した場合には、美観を損なう虞がある。しかしながら、上記実施形態の建具１は、固定障子２０と移動障子５との召し合わせ部分にビス６６が配置されているので、固定障子２０の室内側に位置する移動障子５によりビス６６が隠されるため、美観に優れた建具１を提供することが可能である。さらに、移動障子５は移動規制部材５５の見付け方向の移動を規制するビス６６と見込み方向に重なる領域にて移動するので、たとえ移動障子５が開閉されたとしても、ビス６６は移動障子５の室外側に位置することになる。このため、移動障子５が移動したとしても美観を損なわず、良好な美観を維持することが可能な建具１を提供することが可能である。
【００５１】
上記実施形態においては、移動障子５が左右方向に移動可能な片引き窓用の建具を例に挙げて説明したが、図１６に示すような開口枠内を移動障子が垂直方向に移動可能に設けられた上げ下げ窓であっても構わない。この場合には、固定障子２０は、上枠１２及び左右の縦枠１４、１５に嵌合された棒状嵌合部材３０及び鉤状嵌合部材５０と框体２０ａとが嵌合され、固定障子２０の下端側に移動規制部材５５が固定されている。
【００５２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５３】
【図１】本実施形態に係る建具を室外側からみた外観図である。
【図２】本実施形態に係る建具の平断面図である。
【図３】本実施形態に係る建具の縦断面図である。
【図４】枠体の内周部を示す平面図である。
【図５】棒状嵌合部材を示す斜視図である。
【図６】棒状嵌合部材の正面図である。
【図７】棒状嵌合部材と枠体及び固定障子との嵌合状態を説明するための図である。
【図８】鉤状嵌合部材の正面図である。
【図９】鉤状嵌合部材の側面図である。
【図１０】鉤状嵌合部材と枠体及び固定障子との嵌合状態を説明するための図である。
【図１１】移動規制部材を示す斜視図である。
【図１２】移動規制部材を規制用貫通孔の貫通方向から見た図である。
【図１３】建具の取付方法を説明するための図である。
【図１４】規制用貫通孔にビスが貫通された状態を示す図である。
【図１５】本実施形態にかかる建具を室内側から見た図である。
【図１６】上げ下げ窓を示す図である。
【符号の説明】
【００５４】
１  建具、５  移動障子、１１  枠体、１２  上枠、１３  下枠、１４  左縦枠、
１５  右縦枠、１７ｂ  内周面部、１９  枠側溝部、２０  固定障子、２０ａ  框体、
２０ｃ  外周面、２１  上框、２２  下框、２３  召し合わせ框（縦框）、
２４  右側の縦框、２５  框側溝部、３０  棒状嵌合部材、５０  鉤状嵌合部材、
５１  枠側被嵌合部、５２  嵌合部、５２ａ縦嵌合部、５２ｂ  横嵌合部、
５３  框側被嵌合部、５４  連結部、５５  移動規制部材、５６  本体嵌合部、
５６ａ  固定用貫通孔、５６ｂ  規制用貫通孔、５７  枠側被収容部、５７ａ  突出部、５８  框側被収容部、５８ａ  突出部、６０  規制部、６０ａ  ピン、
６０ｃ  当接面、６５  固定用のビス、６６  規制用のビス
【図１】
2010053656.tif 000003
【図２】
2010053656.tif 000004
【図３】
2010053656.tif 000005
【図４】
2010053656.tif 000006
【図５】
2010053656.tif 000007
【図６】
2010053656.tif 000008
【図７】
2010053656.tif 000009
【図８】
2010053656.tif 000010
【図９】
2010053656.tif 000011
【図１０】
2010053656.tif 000012
【図１１】
2010053656.tif 000013
【図１２】
2010053656.tif 000014
【図１３】
2010053656.tif 000015
【図１４】
2010053656.tif 000016
【図１５】
2010053656.tif 000017
【図１６】
2010053656.tif 000018